(57)【要約】      （修正有）【課題】中蓋を容易に持ち上げることができるとともに、容器本体に収納されている食品の蒸気が手に当たることなく、容易に液体状のソース等をかけることができる食品容器用中蓋を提供する。【解決手段】容器本体と容器本体に嵌合する蓋体との内部空間を略水平状態でかつ上下に二分割するように仕切る食品容器用中蓋であり、食品容器用中蓋１は、上面に収納凹部５を有すると共に、収納凹部を形成する内側壁面に連続する外側壁面１９に外方向に突片状に接続し、かつ周方向に所定間隔離間する少なくも２つの摘み部９を有する。摘み部には、上下方向への変位を容易にする蛇腹１３が取付基部に形成されている。食品を食べる時、２つの摘み部を同時に指で摘まんで中蓋を容器本体から上方へ一部離反させることにより、下方の収納空間からの蒸気を外部に放出することができる。【選択図】図１
0003199845.tif 000002
【実用新案登録請求の範囲】
【請求項１】
容器本体と該容器本体に嵌合する蓋体との内部空間を略水平状態でかつ上下に二分割するように仕切る食品容器用中蓋に於いて、前記食品容器用中蓋は、上面に収納凹部を有すると共に、該収納凹部を形成する内側壁面に連続する外側壁面に外方向に突片状に接続し、かつ周方向に所定間隔離間する少なくも２つの摘み部を有し、食品を食べる時、前記２つの摘み部を同時に指で摘まんで該食品容器用中蓋を前記容器本体から上方へ一部離反させることにより、前記容器本体の下方の収納空間からの蒸気を外部に放出することができる食品容器用中蓋。
【請求項２】
前記外側壁面は、傾斜状の外周部と、該傾斜状外周部の下端部に略フランジ状に連続し、かつ前記容器本体の内側壁面の上端部に段差状に形成した係合部に支持される被係合部を有し、前記摘み部は、少なくとも前記傾斜状外周部又は被係合部のいずれかに設けられていることを特徴とする請求項１記載の食品容器用中蓋。
【請求項３】
前記摘み部には、指が滑らないように摩擦抵抗を付与する滑り止めが設けられていることを特徴とする請求項１又は請求項２のいずれかに記載の食品容器用中蓋。
【請求項４】
容器本体と、該容器本体に嵌合する蓋体と、容器本体と蓋体との内部空間を略水平状態でかつ上下に二分割するように仕切る食品容器用中蓋とから成る食品容器に於いて、前記食品容器用中蓋は、上面に収納凹部を有すると共に、該収納凹部を形成する内側壁面に連続する外側壁面に外方向に突片状に接続し、かつ周方向に所定間隔離間する少なくも２つの摘み部を有し、食品を食べる時、前記２つの摘み部を同時に指で摘まんで該食品容器用中蓋を前記該容器本体から上方へ一部離反させることにより、前記容器本体の下方の収納空間からの蒸気を外部に放出することができる食品容器。
【考案の詳細な説明】
【技術分野】
【０００１】
本考案はコンビニエンスストア等で販売される弁当類を収納する食品容器に用いられる食品容器用中蓋及び食品容器に関する。
【背景技術】
【０００２】
従来コンビニエンスストア等で販売されるパスタやカレー等、液体状のソースをパスタや米飯と分離して収容する食品容器としては、パスタや米飯を収納するプラスチック製の容器と、ソースを収納する中蓋及びこの容器に嵌合する蓋体で構成されるものが使用されている。
【０００３】
しかし、このような食品容器の中蓋には、中蓋を摘むための摘み部が形成されていないか、１つしか形成されていなかった。
そのため、中蓋を摘むための摘み部が形成されていない場合には、うまく中蓋を持ち上げることができない場合があり、摘み部が１つしか形成されていない場合には、摘み部を持ち上げると、その摘み部部位が開口し、容器本体に収納されている食品の蒸気が摘み部を摘んでいる指に当たるという欠点が存在した。
【考案の概要】
【考案が解決しようとする課題】
【０００４】
本考案は以上のような従来の欠点に鑑み、中蓋を容易に持ち上げることができるとともに、容器本体に収納されている食品の蒸気が摘み部を摘んでいる指に当たることないとともに、容易に液体状のソース等をかけることができる食品容器用中蓋並びに該食品容器用中蓋を備える食品容器を提供することを目的としている。
【０００５】
本考案の前記ならびにそのほかの目的と新規な特徴は次の説明を添付図面と照らし合わせて読むと、より完全に明らかになるであろう。
【０００６】
ただし、図面はもっぱら解説のためのものであって、本考案の技術的範囲を限定するものではない。
【課題を解決するための手段】
【０００７】
上記目的を達成するために、本考案の食品容器用中蓋は、容器本体と該容器本体に嵌合する蓋体との内部空間を略水平状態でかつ上下に二分割するように仕切る食品容器用中蓋に於いて、前記食品容器用中蓋は、上面に収納凹部を有すると共に、該収納凹部を形成する内側壁面に連続する外側壁面に外方向に突片状に接続し、かつ周方向に所定間隔離間する少なくも２つの摘み部を有し、食品を食べる時、前記２つの摘み部を同時に指で摘まんで該食品容器用中蓋を前記容器本体から上方へ一部離反させることにより、前記容器本体の下方の収納空間からの蒸気を外部に放出することができることを特徴とする。
【０００８】
また、本考案の食品容器は、容器本体と、該容器本体に嵌合する蓋体と、容器本体と蓋体との内部空間を略水平状態でかつ上下に二分割するように仕切る食品容器用中蓋とから成る食品容器に於いて、前記食品容器用中蓋は、上面に収納凹部を有すると共に、該収納凹部を形成する内側壁面に連続する外側壁面に外方向に突片状に接続し、かつ周方向に所定間隔離間する少なくも２つの摘み部を有し、食品を食べる時、前記２つの摘み部を同時に指で摘まんで該食品容器用中蓋を前記該容器本体から上方へ一部離反させることにより、前記容器本体の下方の収納空間からの蒸気を外部に放出することができることを特徴とする。
【考案の効果】
【０００９】
以上の説明から明らかなように、本考案にあっては次に列挙する効果が得られる。
（１）請求項１および請求項２に記載の各考案においては、２つの摘み部を設けているので、この摘み部を摘み、食品容器用中蓋を容易に持ち上げることができる。
（２）２つの摘み部を摘み、食品容器用中蓋を持ち上げて液体状のソースをかけることができる。
したがって、２つの摘み部の間が開口し、この開口から容器本体の下方の収納空間からの蒸気を外部に出すことができるので、摘み部を摘む手に蒸気があたることを防止できる。
（３）請求項３に記載の考案においても、（１）、（２）と同様な効果が得られるとともに、摘み部に滑り止めを形成しているので、より容易に食品容器用中蓋を持ち上げることができる
（３）請求項４に記載の考案においても前記（１）〜（３）と同様な効果が得られる。
【図面の簡単な説明】
【００１０】
【図１】本考案を実施するための第１の形態の食品容器用中蓋の平面図。
【図２】本考案を実施するための第１の形態の食品容器用中蓋の正面図。
【図３】本考案を実施するための第１の形態の食品容器用中蓋の右側面図。
【図４】図１の４−４線断面図。
【図５】本考案を実施するための第１の形態の食品容器の平面図。
【図６】本考案を実施するための第１の形態の食品容器の分解斜視図。
【図７】図５の７−７線断面図。
【図８】本考案を実施するための第１の形態の使用状態の説明図。
【図９】本考案を実施するための第２の形態の食品容器用中蓋の平面図。
【図１０】本考案を実施するための第２の形態の食品容器の分解斜視図。
【図１１】本考案を実施するための第２の形態の使用状態の説明図。
【考案を実施するための形態】
【００１１】
以下、図面に示す本考案を実施するための形態により、本考案を詳細に説明する。
【００１２】
図１ないし図８に示す本考案を実施するための第１の形態において、１はコンビニエンスストア等で販売されるパスタやカレー、餡かけ等の食品２を収納する食品容器３に用いられ、容器本体７と該容器本体７に嵌合する蓋体１２との内部空間を略水平状態でかつ上下に二分割するように仕切る食品容器用中蓋で、該食品容器用中蓋１は上面にパスタソースやカレー、餡等の液体状の食品４を収納できる収納凹部５を有する中蓋本体６と、該中蓋本体６の収納凹部５を形成する内側壁面５ａに連続する傾斜状の外周部６ａと、該傾斜状外周部６ａの下端部に略フランジ状に連続し、かつ前記容器本体７の内側壁面７ａの上端部に段差状に形成した係合部１５に支持される被係合部８を有する外側壁面１９と、該外側壁面１９の被係合部８に設けられた２つの摘み部９とで構成されている。
【００１３】
また、前記食品容器３は、パスタや米飯等の穀物食品１０を入れることができる凹所１１を有する容器本体７と、該容器本体７に嵌合し前記凹所１１を閉じる蓋体１２と、該蓋体１２と前記容器本体７との内部空間を略水平状態でかつ上下に二分割するように仕切る前記食品容器用中蓋１とで構成されている。なお、食品とは、好ましくは弁当用の加工食料品であり、弁当のご飯・うどんめん・そばめん・中華そばめん・パスタ・カレーなどをいう。
【００１４】
前記中蓋本体６は中央部に平面視円形状の収納凹部５が形成されており、中蓋本体６の外側壁面１９には外方にフランジ状に突出する環状の被係合部８が形成されている。また、この被係合部８には複数の摘み部９、本実施の形態においては、２つの摘み部９が設けられている。なお、該被係合部８は本実施の形態においては、平面視において略角丸十二角形状に突出しているが、中蓋本体６の収納凹部５と相似形状（平面視円形状）に突出するように形成してもよい。
前記摘み部９は、中蓋本体６の被係合部８に半径外方向に突出するとともに、摘み部を両手で摘んで中蓋本体６を持ち上げた際に、摘み部同士の間から蒸気が抜ける程度の間隔を周方向に有して２個設けられている。
また、前記摘み部９は、被係合部８に取り付けられている取付基端部付近に蛇腹１３が形成され、正面視上下方向の変位を容易にしており、また、この蛇腹１３の部位を除く部分にはドット状の滑り止め１４が形成されている。
前記容器本体７は、平面視円形状のボウル形に形成されており、凹所１１にパスタ等の穀物食品１０が収納される。また、該凹所１１の上端部付近には、前記中蓋本体６の被係合部８が係合する係合部１５が形成されている。
前記蓋体１２は、平面視円形状に形成され、前記容器本体の係合部１５の外周壁面１５ａに嵌合する環状の嵌合部１６が形成されている。また、蓋体１２の外周部には容器本体７と蓋体１２の嵌合を解除する際に指で摘むことができる滑り止め１４が形成された舌片１７が形成されており、蓋体１２の略中央部には、食品を温めた際に内圧が高くならないように余分な蒸気を逃がす切り欠き１８が形成されている。
なお、蓋体１２と容器本体７を嵌合する場合には、蓋体１２の嵌合部１６と容器本体７の係合部１５の外周壁面１５ａの間には、中蓋本体６の摘み部９が挟まれるが、摘み部９の蛇腹１３により摘み部９が上下方向に変異し、蓋体１２と容器本体７の嵌合を妨げないようになっている。
本考案の食品容器および食品容器用中蓋の使用態様としては、食品容器本体にパスタを収納し、食品容器用中蓋１にパスタソースを収納し、前記蓋体を嵌合させ、コンビニエンスストア等で販売する。
食品を食す場合には、電子レンジ等で食品を温めた後、蓋体１２を除去する。その後、図８に示すように食品容器用中蓋１の摘み部９を両手で摘み、中蓋本体６を持ち上げ、穀物食品１０（パスタ）に液体状の食品４（パスタソース）をかける。この時、容器本体７と中蓋本体６との隙間に開口は、摘み部９同士の間に開口するため、手に蒸気が当たることなく中蓋本体６を持ち上げることができる。
【００１５】
[考案を実施するための異なる形態]
次に、図９ないし図１１に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１６】
図９ないし図１１示す本考案を実施するための第２の形態において、前記本考案を実施するための第１の形態と主に異なる点は、平面視四角形状の容器本体７Ａ、蓋体１２Ａ及び中蓋本体６Ａを用いた食品容器用中蓋１Ａおよび食品容器３Ａにした点で、このような食品容器用中蓋１Ａおよび食品容器３Ａでも前記本考案を実施するための第１の形態と同様の作用効果を得ることができる。
本実施形態の食品容器用中蓋１Ａの摘み部９は、四角形状の中蓋本体６Ａの角部付近の左右部位に形成されている。このように摘み部９を形成することにより、中蓋本体６Ａを持ち上げた際に、角部の部位に容器本体と中蓋本体との隙間が形成され、手に蒸気が当たることなく中蓋本体６Ａを持ち上げることができる。
なお、本考案の実施形態においては、摘み部を２つ形成したものについて説明したが、摘み部を多数、例えば左右に２つずつ形成し、使用者に摘みやすい摘み部を選択させることもできる。
また、本考案の実施形態においては、平面視円形状及び四角形状の容器本体、蓋体及び中蓋本体について説明したが、平面視六角形状や八角形状等の多角形状に形成してもよい。
本考案の実施形態においては、外方にフランジ状に突出する環状の被係合部を形成しているが、環状の係合部ではなく、例えば、３ヶ所のみ外方に突出する被係合部にしてもよく、このような場合には、被係合部ではなく中蓋本体の外壁側面の傾斜状外周部に複数の摘み部を設けてもよい。
【産業上の利用可能性】
【００１７】
本考案は食品容器を製造する産業で利用される。
【符号の説明】
【００１８】
１、１Ａ：食品容器用中蓋、      ２：食品、
３、３Ａ：食品容器、            ４：液体状の食品、
５：収納凹部、                  ６、６Ａ：中蓋本体、
７、７Ａ：容器本体、            ８：係合部、
９：摘み部、                    １０：穀物食品、
１１：凹所、                    １２、１２Ａ：蓋体、
１３：蛇腹、                    １４：滑り止め、
１５：係合凹部、                １６：嵌合部、
１７：舌片、                    １８：切り欠き、
１９：外壁側面。
【図１】
0003199845.tif 000003
【図２】
0003199845.tif 000004
【図３】
0003199845.tif 000005
【図４】
0003199845.tif 000006
【図５】
0003199845.tif 000007
【図６】
0003199845.tif 000008
【図７】
0003199845.tif 000009
【図８】
0003199845.tif 000010
【図９】
0003199845.tif 000011
【図１０】
0003199845.tif 000012
【図１１】
0003199845.tif 000013